【事件の表示】
　平成２年特許願第４１７４２２号「現像装置」拒絶査定に対する審判事件［平成　４年　５月２８日出願公開、特開平４−１５６４８４］について、次のとおり審決する。
【結　論】
　本件審判の請求は、成り立たない。
【理　由】
１．手続の経緯・本願発明の内容
　本願は、平成２年１２月２９日（優先権主張：平成２年１０月２０日、特願平０２−２８２４２２号）の出願であって、その請求項１に係る発明は、平成１１年１１月２９日付手続補正書により全文補正された明細書及び図面の記載からみて、特許請求の範囲の請求項１に記載された次のとおりのものと認める。
特許請求の範囲
【請求項１】マグネットを内蔵した現像ローラと、前記現像ローラと対向する位置に配置され、前記現像ローラ上の現像層を一定層厚に規制する現像ドクタを備えた現像装置において、
　下ケースと両側板により構成され、一方の側板に前記現像ローラを取り付けるための開放部を有し、他方の側板に前記現像ローラの一方の軸を挿入して前記現像ローラの位置決めを行うための位置決め部を有する現像ケースと、
　前記位置決め部で位置決めされた前記現像ローラの他方の軸を前記開放部を通して前記現像ケースの前記一方の側板に取り付けるための現像ローラ軸受を有したホルダ部材と、
　前記現像ローラの中心を通る水平線に対して所定の角度で交差し、かつ、前記現像ローラの中心を通る線分を基準として、前記線分と略平行となる線分上に前記現像ドクタの先端部分が位置するように取り付ける取付面を有した現像ドクタ取付部と、
　を備え、
　前記現像ドクタ取付部は、前記現像ローラの中心が前記略平行となる線分と感光体の間に位置するように構成されていることを特徴とする現像装置。
　（以下、「本願発明」という。）
　
２．原査定の拒絶の理由の概要及び引用した刊行物とその記載事項
　これに対して、原査定の拒絶の理由は、以下の各文献を引用して、平成１１年１１月２９日付手続補正書による全文補正が行われる前における本願の請求項１乃至５及び８に係る発明は、当該刊行物１乃至５に記載される事項に基づいて当業者が容易に発明をすることができたものと認められ、また、同じく本願の請求項１０乃至１３に係る発明は、当該刊行物６乃至７に記載される事項に基づいて当業者が容易に発明をすることができたものと認められるから、特許法第２９条第２項の規定により特許を受けることができないと、するものである。
刊行物１：特開平０２−２０５８７５号公報
刊行物２：特開昭５８−０５７１５７号公報
刊行物３：特開昭５３−０５０８４２号公報
刊行物４：特開昭６３−２９２１７４号公報
刊行物５：特開昭６３−２９８３７４号公報
刊行物６：実願昭６２−５０５４７号（実開昭６３−１５７７６４号公報）
　　　　　のマイクロフィルム
刊行物７：実願昭６２−５０５４８号（実開昭６３−１５７７６５号公報）
　　　　　のマイクロフィルム
　
　そして、引用された刊行物１及び２には、以下のような記載内容がある。
　
２−１　刊行物１の記載内容
１）第９頁左下欄第３行〜第１１行
「ここに示した現像装置１も、二成分系現像剤Ｄを収容した剤タンク１０９を有する現像ユニットパッケージ２と、該パッケージ２に設けられた現像スリーブ３を有している。本例では第７図に明示するように、現像スリーブ３がベアリング４０，４１を介して現像ユニットパッケージ２に対して回転自在に支持され、これらのベアリング４０，４１により現像ユニットパッケージ２に対する現像スリーブ３の位置決めがなされている。」
　
２）第９頁左下欄第１８行〜右下欄第２行
「現像スリーブ３は、このベルト４５，およびギヤ４３，４２を介して、複写機本体７側の図示していない駆動装置によって第５図における反時計方向に回転駆動される。」
　
３）第９頁右下欄第９行〜第１６行
「現像ユニットパッケージ２が複写機本体７にセットされているとき、現像スリーブ３の内部に挿入された状態で位置するマグネット１０４は、複数の磁石、図の例では５個の磁石４７より成り、これらが支持体４８に固定され、この支持体４８の奥側の端部は、第７図に示すように複写機本体７の支持フレーム２３と、これに固着された支持ブラケット２４に不動に固定されている。」
　
４）第１０頁左上欄第２０行〜右上欄第７行
「現像スリーブ３に供給された現像剤Ｄは、該スリーブ３の回転と、その内部のマグネットローラ１０４の磁力の作用で、現像スリーブ３の周面に担持されつつ反時計方向に搬送され、ドクターブレード１１によってその剤量が規制される。ブレード１１を通過した現像剤は、現像領域Ａに搬送され、反時計方向に回転する感光体ドラム６上の静電潜像を可視像化する」
　
　これらの記載事項からみて、当該刊行物１には、
　磁石４７を内蔵した現像スリーブ３と、前記現像スリーブ３と対向する位置に配置され、前記現像スリーブ３上に供給される現像剤Ｄの剤量を規制するドクターブレード１１を備えた現像装置において、
　下ケースと両側板により構成された、二成分系現像剤Ｄを収容した剤タンク１０９を有する現像ユニットパッケージ２と
　現像スリーブ３を現像ユニットパッケージ２に対して回転自在に支持するベアリング４０，４１を有し、これらのベアリング４０，４１により現像ユニットパッケージ２に対する現像スリーブ３の位置決めがなされており、
　前記現像スリーブ３の中心を通る水平線に対して所定の角度で交差し、かつ、前記現像スリーブ３の中心を通る線分を基準として、前記線分と略平行となる線分上に先端部分が位置するように取り付けられた前記ドクターブレード１１と、
　を備えた現像装置
　
２−２　刊行物２の記載内容
５）第２頁右上欄第７行〜第１９行
「この現像装置の概要を第１図にて説明すると、表面に円弧に沿ってＮ・Ｓ磁極Ｎ１・Ｓ１・Ｎ２・Ｓ２・Ｎ３・Ｓ３を着磁したマグネットロール１０１に非磁性のステンレス等でできたスリーブ１００（トナー支持部材）をはめ、このスリーブ１００を上記マグネットロール１０１を固定してその周囲を図示時計方向に回転させる。カット極Ｎ１に対向して設けられた磁性ブレード１０２はカット極Ｎ１の磁力と共働してスリーブ１００の回転に伴って前側板（不図示）と表側板１０３，前スティ１０４，トナー落下防止スティ１０５とで囲まれた現像容器箱内の絶縁性磁性トナーＴをスリーブ１００上に適正な厚みに塗布する。」
　
６）第４頁左上欄第６行〜第１５行
「現像装置器箱は上記スリーブ１・２を軸受する奥側と手前側の側板５・６と、底板たる凹曲させた下スティ７と、非磁性ブレード１２を保持させる上スティ８と、該上スティ８の上面部から現像スリーブ１の上面部にわたる大きさの上面カバー部材９とからなり、それ等の各構成部材を互にねじ１３等で結合して一個の器箱として組立てられる。第５図はその組立てられた器箱の斜面図を示す。上面カバー部材９は器箱内に必要部品を組付けた後装着される。」
　
７）第６頁左下欄第１０行〜右下欄第４行
「以下現像スリーブユニットと記した場合には上記現像スリーブ１とマグネットロール３についての一ユニットとしての組立て構造体を意味するものとし、又コートスリーブユニットと記した場合には同じく上記コートスリーブ２とマグネットロール４についての一ユニットとしての組立て構造体を意味するものとする。
　現像スリーブユニットはその両端側の突出軸１９１・２１１の基部を夫々軸受１０・１０を介して現像装置器箱の奥側板５と前側板６との間に回転自由に支持させてある。又コートスリーブユニットについても同様にその両側端の突出軸２２１・２４１を夫々軸受１１・１１を介して現像装置器箱の奥側板５と前側板６との間に回転自由に支持させてある。」
　
８）第７頁左下欄第８行〜第１４行
「(4)現像スリーブユニット、コートスリーブユニットの現像装置器箱への組み込み（第４〜９図）
　現像スリーブユニット及びコートスリーブユニットの現像装置器箱に対する組み付けは一般にははめ殺しにしてしまうのがほとんどであるが、組み込み・メンテナンス等の上では抜き差し自在の構成がよい。」
　
９）第８頁左下欄第８行〜第９頁左上欄第１９行
「そこで本例装置は下の図スリーブユニットとコートスリーブユニットの現像装置器箱への組み込みについて上記のような問題を生じないように工夫してある。これを第５〜８図で説明する。即ち、第６図(a)のように器箱の奥側板５については現像スリーブユニットとコートスリーブユニットの各奥側軸受部材（本例では軸受１０・１１及びオイルシール１１２をインサートした筒形ケーシング１１１を指す、以下軸受部材１１１と記す）が嵌入する２個の透孔５ａ・５ｂを形成し、又板５の一部を切欠いて透孔５ａに通じるスリット透孔５ｃを形成する。透孔５ｂは第９図(a)のような透孔ａとの連絡スリット透孔ｄや、同図(c)のようなスリット透孔ｄ’を形成せず、孤立の透孔とする。又前側板６については第６図(h)に示すように現像スリーブユニットの手前側軸受部材１１１が嵌入する透孔６ａと、コートスリーブユニットのスリーブ２の外径よりもやや大径の透孔６ｂを形成してある。
　而して上記のような孔あけ処理をした側板を用いて組立てられている現像装置器箱（第５図）について、先ずその器箱奥側板５の内面の透孔５ｂ周りに前記(3)項で述べた円盤状クッション性シール材２５とスラストシート２５１の貼り合せ材を予め貼り付けておく。次いでコートスリーブユニットについて第７図示のようにその手前側端部を器箱前側板６の大径透孔６ｂに該側板の内側から差し込んで該側板６の外面側へ適宜長さ突出させることによりコートスリーブユニットの奥側軸部２２１を器箱内側に位置させ、次いでその軸部２２１を器箱奥側板５の透孔５ｂに位置させてコートスリーブユニットをその奥側板１９がスラストシート２５１面に当るまで奥側板５方向へ引寄せることにより該コートスリーブユニットの奥側軸部２２１を奥側板５の透孔５ｂから器箱外方へ突出させた状態にする（第８図）。次いでその軸部２２１に軸受部材１１１を外嵌し、その外嵌軸受部材１１１を奥側板５の透孔５ｂに嵌入させる。一方前側板６の大径透孔６ｂから器箱外方へ突出状態にあるコートスリーブユニットの手前側軸部２４１には、大径透孔６ｂに嵌合する円盤状蓋板６２の中央部に嵌着した軸受部材１１１を外嵌する。蓋板６２の内面側には予め円盤状クッション性シール２５とスラストシート２５１の貼り合せ材を貼り付け処理してある。そしてその軸受部材１１１を嵌着した蓋板６２を前側板６の大径透孔６ｂに嵌合させる。奥側板５の透孔５ｂに嵌入した軸受部材１１１及び前側板６の大径透孔６ｂに嵌入した蓋板６２は適当な手段で抜け止め処置する。これによりコートスリーブユニットが器箱の奥側と前側の側板５・６間に軸受１１・１１を介して回転自由に組み付け状態となる。」
　
１０）第９頁左上欄第２０行〜第９頁左下欄第４行
「次いで現像スリーブユニットについてその手前側軸部２１１を器箱前側板６の透孔６ａに外側板の内側から差し込んで側板外面側へ突出させ（第８図）、次いで奥側軸部１９１を奥側板５の縁部のスリット透孔５ｃに対応させてそのスリット透孔５ｃを通過させて透孔５ａに位置させる。そして透孔５ａ・６ａから側板５・６の外側に突出した現像スリーブユニットの両端軸部１９１・２１１に夫々軸受部材１１１・１１１を外嵌し、次いでその外嵌軸受部材１１１・１１１を夫々側板５・６の透孔５ａ・６ａに嵌入して抜止め処置する。これにより現像スリーブユニットが器箱の奥側と前側の側板５・６間に軸受１０・１０を介して回転自由に組み付け状態となる。
　即ち本例の現像装置は現像スリーブユニット、コートスリーブユニットの現像装置器箱への組み込みを上記のような構成要領にしたから、側板強度が充分に保持される、両スリーブユニットの所定すきま間隔ｄｂを出しやすく、又その間隔が長期にわたって安定に保持される、組み付け、取り外し（取り外しは上記の組み付けとは逆の手順）が容易で、再組み付けのときの両スリーブユニットの相互位置関係の再現性も良好である、トナーもれもない、等の利点があり、前述の諸問題が全て解消される。」
　
１１）第９頁右下欄第１０行〜第１０頁左上欄第１行
「(5)スクリュー軸・ブレード等の取付け（第３・４図）
　前項の要領で現像スリーブユニット及びコートスリーブユニットを現像装置器箱に組み付けた後、トナー送り出し用スクリュー軸１４についてこれを軸受１５・１５により回転自在に支承させて器箱内に組み付ける。又上スティの斜め下方折り曲げ部８ｂに非磁性ブレード１２及びすくい部材２６・２６をねじ１２１・１２１で共締めして取付け保持させる。この場合ブレード１２はその下辺とコートスリーブ２との間に所定のすきま寸法ｄａが形成されるように位置調節してねじ止める。」
　
　これらの記載からみて、当該刊行物２には、
「マグネットを内蔵したコートスリーブ２と、前記コートスリーブ２と対向する位置に配置され、前記コートスリーブ２上の現像剤層を一定厚に規制する非磁性ブレード１２を備えた現像装置において、
　下ケースと両側板５，６とを一体化して構成された現像装置器箱（第５図参照）と、前記両側板のうちの一方に設けられ、前記コートスリーブ２の一方の軸を挿入して前記コートスリーブ２の位置決めを行うための位置決め部である「透孔６ｂ」と、前記位置決め部で位置決めされた前記コートスリーブ２の他方の軸を前記現像ケースの他方の側板に取り付けるためのコートスリーブ２を軸受する軸受を備えた軸受部材１１１と、前記コートスリーブ２の中心を通る水平線に対して所定の角度で交差し、かつ、前記コートスリーブ２の中心を通る線分を基準として、前記線分と略平行となる線分上に前記非磁性ブレード１２の先端部分が位置するように取り付ける取付面を有した非磁性ブレード１２取付部である「上ステイの斜め下方折り曲げ部８ｂ」と、を備えている現像装置」
が把握できる。
　
　また、当該刊行物２からは、
「マグネットを内蔵した現像スリーブ１を備えた現像装置において、
　一方の側板５にはスリット透孔５ｃが、他方の側板６には透孔６ａが設けられ、現像スリーブ１の手前側軸部２１１を側板６の透孔６ａに外側板の内側から差し込んで側板外面側へ突出させ（第８図）、次いで奥側軸部１９１を奥側板５の縁部のスリット透孔５ｃに対応させてそのスリット透孔５ｃを通過させて透孔５ａに位置させ、透孔５ａ，６ａから側板５，６の外側に突出した現像スリーブ１の両端軸部１９１，２１１に夫々軸受部材１１１，１１１を外嵌し、次いでその外嵌軸受部１１１，１１１を夫々側板５・６の透孔５ａ，６ａに嵌入して抜止め処置し、現像スリーブ１が両側板５，６間に軸受１０，１０を介して回転自由に組み付け状態とする構成の現像装置」
が把握できる。
　
３．対比・判断
　当審においては、請求人に対し本願明細書の記載について審尋を行い、その記載の意味を確認したので、対比・判断に先立って、各記載の意味を確認する。
(1)　用語の整理
　本願発明における「開放部」は、「図５にいう”１２５”のような貫通した穴であって、一部が欠けている穴の、その欠けている部分を［開放部］と称している。
　
　本願発明における「ホルダ部材」は、「図５の”１２４”に対応し、現像ローラの位置決め部他端側の軸を、軸受けを介して開放部側に取り付ける機能を有する部材」を意味する。
　
　本願発明における「水平線」は、「現像ケースが本体へ取り付けられたときの現像ローラの中心を通る水平線」を意味する。
　
　本願発明における「線」或いは「線分」は、図１１の図面上における概念であって、図面を援用していない特許請求の範囲記載においては、むしろ「面」と捉えられるべきものである。
　
　本願明細書で指摘される目的である『「現像ドクタ」を取り外すことなく「現像ローラ」を着脱自在な構成を与える』ことと本願発明の特定事項の関係において、「現像ドクタを取り外すことなく現像ローラを着脱できる」効果とは、「現像ローラを開放部を通して取り付けるときに、現像ドクタが邪魔にならない」ことを意味する。
　
(2)　両者の一致点
　本願発明の「現像ローラ」、「現像ドクタ」及び「現像ケース」が、刊行物１記載の発明の「現像スリーブ３」、「ドクターブレード１１」及び「現像ユニットパッケージ２」に相当することは明らかであるから、両者の一致点は以下のとおりのものである。
　マグネットを内蔵した現像ローラと、前記現像ローラと対向する位置に配置され、前記現像ローラ上の現像層を一定層厚に規制する現像ドクタを備えた現像装置において、
　下ケースと両側板により構成され、前記現像ローラの位置決めを行うための位置決め部を有する現像ケースと
　前記現像ローラの中心を通る水平線に対して所定の角度で交差し、かつ、前記現像ローラの中心を通る線分を基準として、前記線分と略平行となる線分上に前記現像ドクタの先端部分が位置するように取り付けられた現像ドクタ
　を備えた現像装置。
　
(3)　両者の相違点
相違点Ａ：　現像ローラの位置決めの構成に関して、
　本願発明では、「一方の側板に前記現像ローラを取り付けるための開放部を有し、他方の側板に前記現像ローラの一方の軸を挿入して前記現像ローラの位置決めを行うための位置決め部を有する現像ケースと、
　前記位置決め部で位置決めされた前記現像ローラの他方の軸を前記開放部を通して前記現像ケースの前記一方の側板に取り付けるための現像ローラ軸受を有したホルダ部材と」を備えると特定されているのに対して、
　刊行物１記載のものでは、現像スリーブ３が、二成分系現像剤Ｄを収容した剤タンク１０９を有する現像ユニットパッケージ２に対して回転自在に支持するベアリング４０，４１を有し、これらのベアリング４０，４１により現像ユニットパッケージ２に対する現像スリーブ３の位置決めがなされているものではあるが、本願発明の特定を有しない点。
　
相違点Ｂ：　現像ドクターの取付構成に関して、
　本願発明では、「前記現像ローラの中心を通る水平線に対して所定の角度で交差し、かつ、前記現像ローラの中心を通る線分を基準として、前記線分と略平行となる線分上に前記現像ドクタの先端部分が位置するように取り付ける取付面を有した現像ドクタ取付部」を備え、「前記現像ドクタ取付部は、前記現像ローラの中心が前記略平行となる線分と感光体の間に位置するように構成されている」と特定されているのに対して、
　刊行物１記載のものでは、前記現像スリーブの中心を通る水平線に対して所定の角度で交差し、かつ、前記現像スリーブの中心を通る線分を基準として、前記線分と略平行となる線分上に先端部分が位置するように取り付けられた前記ドクターブレードの構成は把握できるものの、ドクターブレードの取付面についての記載はなく、本願発明の特定を有しない点。
　
(4)　相違点についての判断
　相違点Ａについて検討する。
　本願発明における「開放部」は、前記の「(1)　用語の整理」に示したように、現像ケースの一方の側板に設けられた現像ローラの軸が通過し得る切り欠き部を意味している。
　前記刊行物２には、従来技術の記載から把握できる現像装置の現像ローラ１を取り付ける構成において、現像ケースに相当する現像パッケージ２を構成する現像装置器箱の一方の側板５にスリット透孔５ｃを、他方の側板６に透孔６ａを設け、現像ローラ１の手前側軸部２１１を側板６の透孔６ａに外側板の内側から差し込んで側板外面側へ突出させ（第８図）、次いで奥側軸部１９１を奥側板５の縁部のスリット透孔５ｃに対応させてそのスリット透孔５ｃを通過させて透孔５ａに位置させ、透孔５ａ，６ａから側板５，６の外側に突出した現像スリーブ１の両端軸部１９１，２１１に夫々軸受部材１１１，１１１を外嵌し、次いでその外嵌軸受部１１１，１１１を夫々側板５・６の透孔５ａ，６ａに嵌入して抜止め処置し、現像スリーブ１が両側板５，６間に軸受１０，１０を介して回転自由に組み付け状態とされるものが示されている。
　そして、当該刊行物２においては、このような取付構成が従来慣用されている技術であると記載されている。
　したがって、本願発明において、このような現像ローラ取付構成を採用することには、何らの困難性があるものとはいえず、むしろ設計事項に属することである。
　
　なお、本願出願当初明細書の記載を検討するに、本願発明の第２の目的に関して段落【００１６】に「また、前述した構成において、現像ローラを装着する際に、現像ローラ軸の一端面と現像ローラ端面が現像ケースの現像ローラ側開口部に収まるように、現像ケースの現像ローラ端面と対向する側板側に一段落とし込んだ形状の現像ローラ軸収納部を設けることが望ましい。」なる記載が、また、同じく本願出願当初明細書の段落【００３０】に実施例の関して、「次に、図５を参照して、現像ローラ１０５の取り付け方法を説明する。現像ローラ１０５の手前側軸１０５ａのフライス面１０５ｂを現像ケース１１０の落込み部１２１に一度セットし、更にその落込み部１２１より落ち込んでいる主極位置決め部１２２に押し込むようにセットする。続いて、奥側軸１０５ｃに現像ローラ軸受１２３が圧入されているベアリングケース１２４を現像ケース１１０の奥側開口部１２５側から取り付ける。ここで、奥側軸１０５ｃ側の現像ローラ１０５の端面と現像ケース１１０の側板との距離は、主極位置決め部１２２側の側板と現像ローラ１０５の端面との間の距離より大きくなっており、現像ローラ軸受１２３が圧入されているベアリングケース１２４を装着した時に、現像ローラ端面との距離が略等しくなる構成である。」なる記載があるも、これらの記載箇所にある「現像ケース１１０の落込み部１２１」あるいは「その落込み部１２１より落ち込んでいる主極位置決め部１２２」を特定する記載は、本願請求項１にはない。
　そして、前記刊行物１記載において、「現像スリーブ３を現像ユニットパッケージ２に対して回転自在に支持するベアリング４０，４１を有し、これらのベアリング４０，４１により現像ユニットパッケージ２に対する現像スリーブ３の位置決めがなされ」とあるように、軸受装置による軸支持は、その機能からして当然に位置決め機能を有するものといえることから、本願発明における位置決め部材或いはホルダー部材のいずれのものも、刊行物１記載の発明が既に有しているものである。
　
　また、請求人は、本願特許請求の範囲に係る発明が下ケースと両側板とを一体化したものであるかの主張を行っているが、本願請求項１には、単に「下ケースと両側板により構成され」の記載がなされているのみであり、これを特定するところはない。
　そして、ケースを構成する際に製作・組立の便宜上一体化を図ることは、慣用されていることであり、この主張は採用できない。
　
　したがって、相違点Ａは、格別なものとはいえない。
　
　次に相違点Ｂについて検討する。
　
　相違点Ｂは、主に「現像ドクタの先端部分」の位置関係の特定と、「現像ドクタ取付部」の「取付面」がいずれの位置にされているかの特定に係わるものである。
　そこで、前記した刊行物２記載のものを検討するに、現像スリーブ１と共働して感光ドラムＤへの現像剤供給を行う機能を担保するコートスリーブ２と、これに対向して前記コートスリーブ２上の現像剤層を一定厚に規制する非磁性ブレード１２を備えた構成において、当該コートスリーブ２の着脱が自在な構成であって、その着脱作業を容易に行い得るものが記載されている。
　ここで、当該刊行物２におけるコートスリーブ２の組立作業に関する記載では、現像スリーブユニット及びコートスリーブユニットを現像装置器箱に組み付けた後に、非磁性ドクターブレード１２がその下辺とコートスリーブ２との間に所定のすきま寸法ｄａが形成されるように位置調節してねじ止める」との記載からみて、コートスリーブ２の組立作業時には当該非磁性ドクターブレード１２が邪魔となる状況を明示しているものではなく、コートスリーブ２を外す際についても、単に「取り外しは上記の組み付けとは逆の手順」と記載されるのみであり、コートスリーブ２を外す際に、非磁性ドクターブレード１２を取り付けたままで行うことは明示されていない。
　
　一方、本願当初明細書における記載を再度検討するに、本願発明においても、「現像ドクタの先端部分」の位置関係、及び「現像ドクタ取付部」の「取付面」がいずれの位置にされているかについて各々特定がなされているものの、「(1)　用語の整理」で触れたように、現像ドクタの脱着作業の便に関連する「一方の側板に前記現像ローラを取り付けるための開放部」と「現像ドクタ取付部」あるいは「現像ドクタ」との位置関係について何ら特定されているものではない。
　
　そして、脱着時に邪魔となるように構成して分解時に踏むべき手順を励行させる等のよほど特別な目的がある場合でない限り、装置構成の組立て或いはメンテナンス時の脱着作業等の容易化を図るべく、脱着時に部材配置が邪魔にならないように配設することは、従来より設計段階で考慮されていることであって、当業者が必要に応じてなし得る程度のものである。
　
　したがって、本願発明における現像ドクタの配設あるいは刊行物２における非磁性ドクターブレードの配設が、既に現像ドクタの先端部が感光体ドラムとなす位置関係において同様なものとなっている以上、これを設計する際に脱着作業等の容易化を意識した配設関係とすることは、当業者であれば、容易になし得た程度のことである。
　
　そして、刊行物１記載のものと、刊行物２記載のものとは、いずれも現像装置に関するものであって、刊行物２記載のものが例え現像スリーブとは異なるコートスリーブユニットの組立構成に関するものであるとしても、当業者であれば、当該コートスリーブユニット構成に着目して、現像ローラと現像ドクタの関連構成への適用を想到することに格別の困難性があるものともいえない。
　
　また、相違点Ａ及び相違点Ｂを組み合わせたことによる作用効果も、当業者であれば容易に推察し得るものである。
　
４．［むすび］
　以上のとおりであるから、本願の請求項１に係る発明は、引用例１、引用例２の記載に基づいて当業者が容易に発明をすることができたものと認められるから、特許法第２９条第２項の規定により特許を受けることができない。
  よって、結論のとおり審決する。